(57)【特許請求の範囲】
【請求項１】
複数の情報を表示可能とする表示器を備えた表示装置の表示方法であって、表示情報の入力数を判定し、前記入力数が単一である場合は、入力された単一情報を予め定められる第１の時間によって表示し、前記入力数が複数である場合は、入力される複数の情報の各々を予め定められる第２の時間によって時分割して表示するとともに、時分割表示される前記複数の情報の各々を繰り返し表示し、前記複数の情報の各々の繰り返し表示時間の合計が前記第１の時間以上になるように表示してなることを特徴とする表示装置の表示方法。
【請求項２】
複数の情報の切り換え表示において、現在表示している情報と次なる情報との間にブランク時間が設定されてなることを特徴とする請求項１に記載の表示装置の表示方法。
【請求項３】
前記情報はヘッドアップディスプレイ装置によって表示されてなることを特徴とする請求項１もしくは請求項２に記載の表示装置の表示方法。
【発明の詳細な説明】
【０００１】
【発明の属する技術分野】
本発明は、複数の情報を表示可能とする表示器を備える表示装置の表示方法に関するものである。
【０００２】
【従来の技術】
複数の情報を表示するマルチ表示装置としては、ＴＦＴ型液晶表示素子等からなるドットマトリクス型表示器が一般的に用いられるようになってきている。このような表示器を用いた表示装置は、例えば図６に示すように、車両のフロントガラス１に表示ユニット２から表示光Ｌを投射して虚像Ｖを表示するヘッドアップディスプレイ装置として用いられ、車両運転者ｄは、視線を前方から離すことなく各種情報を読みとることができることから、車両用表示装置として注目されている。ヘッドアップディスプレイ装置の表示ユニット２としては、図７に示すように、ドットマトリクス型の液晶表示器３と、この表示器３が発した表示光Ｌ（図示しないＬＥＤ等のバックライトを介して射射される表示光）を反射させる反射鏡４と、この反射鏡４を回動させるステッピングモータ等の駆動手段５とをハウジング６に収容したものである。また、駆動手段５の回動軸には、歯車７が取付けられており、この歯車７が反射鏡４を保持する保持部材８に固定された歯車部９に噛み合わされることで、反射鏡４が位置調整可能に設けられている。
【０００３】
【発明が解決しようとする課題】
このようなヘッドアップディスプレイ装置は、車速やエンジン回転数等の車両走行情報、車両の位置情報に関するナビゲーション情報、あるいは車両に搭載されるＥＣＵ（Electric Control Unit）からの車両情報等の様々な情報を表示する必要がある。このように各種情報を表示するヘッドアップディスプレイ装置Ａにおいて、表示ユニット２における表示器３は、予め定められる小さな表示領域に様々な情報を表示する都合上、緊急を要する情報が複数入力された場合には、複数の情報を一度に表示することができないため、表示すべき優先順位の高い情報から順次表示しなければならない。しかしながら、車両用表示装置としては、緊急を要する情報を車両運転者ｄに認識させるために、各情報を所定時間表示させなければならないが、この表示時間が例えば１０秒に設定されている場合では、１件目の情報から例えば３件目の情報を車両運転者ｄに知らせるために必要な時間は２０秒となり、緊急を要する情報でありながら、確認するまでに時間を要してしまうといった問題点を有している。
【０００４】
本発明は、この問題に鑑みなされたものであり、複数の情報を表示可能とする表示器を備えた表示装置において、必要な情報を敏速、かつ正確に伝達することが可能な表示装置の表示方法を提供するものである。
【０００５】
【課題を解決するための手段】
本発明は、前記課題を解決するため、請求項１に記載に記載したように、複数の情報を表示可能とする表示器を備えた表示装置の表示方法であって、表示情報の入力数を判定し、前記入力数が単一である場合は、入力された単一情報を予め定められる第１の時間によって表示し、前記入力数が複数である場合は、入力される複数の情報の各々を予め定められる第２の時間によって時分割して表示するとともに、時分割表示される前記複数の情報の各々を繰り返し表示し、前記複数の情報の各々の繰り返し表示時間の合計が前記第１の時間以上になるように表示してなるものである。
【０００６】
また、請求項２に記載したように、請求項１に記載の表示装置の表示方法において、複数の情報の切り換え表示において、現在表示している情報と次なる情報との間にブランク時間が設定されてなるものである。
【０００７】
また、請求項３に記載したように、請求項１もしくは請求項２に記載の表示装置の表示方法において、前記情報はヘッドアップディスプレイ装置によって表示されてなるものである。
【０００８】
【発明の実施の形態】
以下、添付の図面に基づいて、本発明の実施の形態を説明するが、表示装置を従来例と同様にヘッドアップディスプレイ装置に適用したものを例に挙げるともに、従来例と同一もしくは相当個所には同一符号を付してその詳細な説明は省く。
【０００９】
図１は、ヘッドアップディスプレイ装置の電気的構成の一例を示すブロック図である。１０は、車両の車両情報を集中制御するＥＣＵユニット、１１は、車両の位置情報をＧＰＳ（Global Positioning System）等によって得るナビゲーションユニット、１２は、ＥＣＵユニット１０からの車両情報及び車両に搭載される各種センサからの信号入力によって車速，エンジン回転数及び残燃料等の車両情報を表示するメータユニット、１３は、ヘッドアップディスプレイ装置Ａの表示器３に車両情報を表示させる表示制御ユニットであり、ＥＣＵユニット１０とナビゲーションユニット１１とメータユニット１２と表示制御ユニット１３とはシリアル信号線路Ｓに接続され、各ユニット１０，１１，１２，１３は信号線路Ｓを介して車両情報の通信処理を行う。尚、シリアル信号線路Ｓには、図示しないもののＡＣＣ（Adaptive Cruise Control）ユニット，エアコンユニット及びオーディオユニット等の他のユニットが接続され、表示制御ユニット１３によって各種情報を表示可能に設けている。
【００１０】
表示制御ユニット１３は、表示器３と、表示器３を駆動するための駆動ドライバを有し、車両情報を表示するための制御手段１４とから構成されている。表示器３は、ＴＦＴ型液晶表示素子等からなるドットマトリクス型表示器である。制御手段１４は、マイクロコンピュータからなり、表示器３の後述する表示形態に関する制御用プログラムが記憶されたＲＯＭ、前記プログラムを実行するためのＣＰＵ、前記ＣＰＵによる演算結果等を一時的に記憶するＲＡＭ等を有し、信号線路Ｓを介して送信される各種車両情報であるシリアルデータを受信し、このシリアルデータをシリアル／パラレル変換するとともに所定の処理を行って前記車両情報を表示器３に表示させるものである。
【００１１】
次に、図２を用いて表示器３について説明する。表示器３は、所定の大きさの表示領域３０を有するとともに、この表示領域３０を第１の表示領域３１と第２の表示領域３２とに二分割する。第１の表示領域３１は、ＥＣＵユニット１０からの車速やエンジン回転数等の車両情報、あるいはナビゲーションユニット１１からの車両位置情報等の車両の通常走行時に必要となる情報を表示する領域である。また、第２の表示領域３２は、ＥＣＵユニット１０やメータユニット１２からの車両状態に基づく警報情報（残燃料警報や車両異常情報等）、図示しないＡＣＣユニットからの車間距離情報、エアコンユニット及びオーディオユニットからの設定値変更情報（温度設定，設定風量や設定音量，選曲）等の車両運転者への各種警告情報等を表示する領域である。
【００１２】
次に、図３及び図４を用いて表示器３の第２の表示領域３２における警告情報の表示方法について説明する。
【００１３】
制御手段１４は、前記警告情報（表示情報）に関する情報（信号）入力数を所定周期（例えば２０ｍｓｅｃ毎）ｔａ毎に判定し、情報入力数が一つである場合は、予め定められる基準表示時間（第１の時間）、例えば１０秒間、入力された情報を表示器３によって表示する。制御手段１４は、前記情報入力数が複数である場合、例えばＥＣＵユニット１０からの路面温度情報（ICE POSSIBLE）Ａ及びクルーズコントロールの速度情報（CRUISE SPEED LIMITED）Ｂ、ナビゲーションユニット１１からの道路状況情報（TIGHT CURVE）Ｃの三つの情報Ａ，Ｂ，Ｃの入力を確認すると、表示器３によって時分割表示するとともに、時分割表示される複数の情報の各々の情報Ａ，Ｂ，Ｃの表示時間が前記基準表示時間以上になるように表示するものである。
【００１４】
即ち、制御手段１４は、三つの情報Ａ，Ｂ，Ｃを表示器３によって表示する場合に、ｍｉｎ（最短）表示時間（第２の時間）ｔｂｎ（ｎ＝１，２，３・・）を予め３秒に設定し、このｍｉｎ表示時間において情報Ａ（図３（ａ））と情報Ｂ（図３（ｂ））と情報Ｃ（図３（ｃ））とを順次表示するとともに、各々の情報Ａ，Ｂ，Ｃの繰り返し表示時間が前記基準表示時間以上である１２秒になるように表示するものである。
ｔｂ１＋ｔｂ４＋ｔｂ７＋ｔｂ10＝１２ｓｅｃ（情報Ａ）
ｔｂ２＋ｔｂ５＋ｔｂ８＋ｔｂ11＝１２ｓｅｃ（情報Ｂ）
ｔｂ３＋ｔｂ６＋ｔｂ９＋ｔｂ12＝１２ｓｅｃ（情報Ｃ）
【００１５】
また、各情報Ａ，Ｂ，Ｃの切り換え表示において、現在表示している情報（例えば情報Ａ）と次なる情報（例えばＢ情報）との間に情報を表示しないブランク時間ｔｃが設けられている。
【００１６】
尚、制御手段１４は、各情報Ａ，Ｂ，Ｃを表示する順序において、予め設定される優先順位に基づいて、あるいは各情報が入力された順番に基づいて決定される。また、制御手段１４は、所定周期ｔａ毎の情報入力数の判定において、各々の情報Ａ，Ｂ，Ｃの繰り返し表示時間（１２秒）が基準表示時間（１０秒）以上になるように表示することを１サイクル処理として実行し、前記処理終了後に情報表示を終了するものとする。
【００１７】
かかる表示方法は、警告メッセージ等の情報入力数を判定し、前記情報入力数が、例えば情報Ａに関する信号のみである場合は、情報Ａを予め定められる基準表示時間によって表示し、前記情報入力数が複数である場合は、複数の情報を予め定められるｍｉｎ表示時間によって時分割表示するとともに、分割表示される複数の情報の各々が所定の順序（Ａ→Ｂ→Ｃ→Ａ・・・）に従って前記基準表示時間以上になるように繰り返し表示してなるものであることから、小さな表示領域を有する表示器３を備えるヘッドアップディスプレイ装置であっても車両運転者ｄは、車両走行情報において重要なる複数の情報Ａ，Ｂ，Ｃを、敏速かつ正確に認識することが可能であるととともに、複数の情報Ａ，Ｂ，Ｃを繰り返し表示することから車両運転者ｄに対する表示情報の認識度を高めることが可能となる。
【００１８】
また、情報入力数が複数である場合において、現在表示している情報と次なる情報、例えばＢ情報を表示する間にブランク時間ｔｃを設けることから、現在表示されている情報から次に表示される情報とを区分けすることができ、異なる複数の情報Ａ，Ｂ，Ｃを車両運転者ｄへ分かりやすく表示することが可能となり、情報の伝達を更に正確にする。
【００１９】
また、前述した表示方法を表示器３から発せられる各種情報である表示光Ｌを反射鏡４を介してフロントガラス１へ投射するヘッドアップディスプレイ装置に適用することで、情報表示における認識度を更に向上させることが可能となる。
【００２０】
次に、図５を用いて、本発明の他の実施の形態について説明する。尚、前述した従来例及び実施の形態と同様もしくは相当個所には同一符号を付してその詳細な説明は省く。
【００２１】
以下に説明する本発明の他の実施の形態は、制御手段１４による複数の警告情報の表示方法において、複数の情報が表示されている際に新たな情報が制御手段１４に入力された場合を示している。
【００２２】
制御手段１４は、三つの情報Ａ，Ｂ，Ｃが入力されているため、予め定められるｍｉｎ表示時間（３秒）によって時分割表示を行うとともに、警告メッセージである新たな情報Ｄが入力されると、情報Ｄを他の情報Ａ，Ｂ，Ｃとともに時分割表示を行う処理を実行する。
【００２３】
制御手段１４は、先に表示していた各情報Ａ，Ｂ，Ｃを前記繰り返し表示時間が１２秒に達するまで表示するとともに、その後は各情報Ａ，Ｂ，Ｃの表示を終了する。そして、制御手段１４は、各情報Ａ，Ｂ，Ｃの情報の表示終了後において、新たな情報Ｄのみを前記繰り返し表示時間が前記基準表示時間以上になるように表示する処理を実行する。尚、新たな情報Ｄは、繰り返し表示回数が２回目において、例えば７秒間表示されることで前記基準表示時間に達することになる。
ｔｂ１＋ｔｂ４＋ｔｂ７＋ｔｂ11＝１２ｓｅｃ（情報Ａ）
ｔｂ２＋ｔｂ５＋ｔｂ８＋ｔｂ12＝１２ｓｅｃ（情報Ｂ）
ｔｂ３＋ｔｂ６＋ｔｂ９＋ｔｂ13＝１２ｓｅｃ（情報Ｃ）
ｔｂ10＋ｔｄ＝１０ｓｅｃ（情報Ｄ）
【００２４】
かかる表示方法においても前述した実施の形態と同様な効果が得られることになる。
【００２５】
尚、前述した各実施の形態では、所定周期ｔａ毎に情報入力数の判定において、前記情報入力数が複数であると判定する場合に、繰り返し表示時間を前述した１サイクル処理で完了するものであったが、情報の重要度においては、所定周期ｔａ毎に入力される重要情報毎に繰り返し表示時間をリセット処理し、前記重要情報の入力が無くなった後に前述した１サイクル処理を実行するものであって良く、本発明にあっては、時分割で表示される情報の繰り返し表示時間が単一情報の入力の際の基準表示時間以上に設定されるものであれば良い。
【００２６】
また、前述した各実施の形態では、表示器３からの表示光Ｌを反射鏡４を介してフロントガラス１に投射するヘッドアップディスプレイ装置を例に挙げて説明したが、請求項３に記載のヘッドアップディスプレイ装置にあっては、表示器からの表示光Ｌをコンバイナフィルムを備えた反射部材に投射し、この反射部材を直接視認する構造のものであっても良い。
【００２７】
また、請求項１もしくは請求項２に記載の本発明にあっては、ヘッドアップディスプレイ装置のみならず、他の装置への適用も可能である。
【００２８】
また、前述した各実施の形態では、車両用表示装置であるヘッドアップディスプレイ装置に前述した警告情報を表示するものを例に挙げて説明したが、本発明は、携帯電話やナビゲーション装置等の各種表示装置にも適用可能で、利用者に新たな情報を敏速かつ正確に伝達させるに有効な表示方法である。
【００２９】
【発明の効果】
本発明は、複数の情報を表示可能とする表示器を備える表示装置の表示方法に関し、必要な情報を敏速、かつ正確に伝達することが可能となる。
【図面の簡単な説明】
【図１】本発明の実施形態を示す表示装置のブロック図。
【図２】同上実施の形態の表示器を示す図。
【図３】同上実施の形態の情報の表示方法を説明する図。
【図４】同上実施の形態の情報の表示方法を説明する図。
【図５】本発明の他の実施の形態の情報の表示方法を説明する図。
【図６】ヘッドアップディスプレイ装置を説明する図。
【図７】同上ヘッドアップディスプレイ装置の表示ユニットを示す要部断面図。
【符号の説明】
１  フロントガラス
２  表示ユニット
３  表示器
３０  表示領域
３１  第１の表示領域
３２  第２の表示領域
４  反射鏡（反射部材）
１３  表示制御ユニット
１４  制御手段
Ｌ  表示光
Ａ〜Ｄ  情報
【図１】
0003844220.tif 000002
【図２】
0003844220.tif 000003
【図３】
0003844220.tif 000004
【図４】
0003844220.tif 000005
【図５】
0003844220.tif 000006
【図６】
0003844220.tif 000007
【図７】
0003844220.tif 000008